(57)【特許請求の範囲】
【請求項１】
音声を録音する録音装置を備える撮像装置であって、
音声を取得し、取得した前記音声を音声信号に変換する集音部と、
当該撮像装置の少なくとも一部をそれぞれ駆動する複数の駆動部と、
前記音声信号に含まれ、前記複数の駆動部が駆動することによって発生する雑音をそれぞれ低減させる複数の周波数フィルタと、
前記複数の駆動部の駆動状態に基づいて、前記複数の周波数フィルタを制御する１つのフィルタ制御部と、
前記複数の周波数フィルタが前記雑音をそれぞれ低減させた前記音声信号を記録する記録部と
を備え、
前記複数の周波数フィルタは、直列に接続されており、
前記フィルタ制御部は、前記複数の周波数フィルタのフィルタ関数をそれぞれ連続的に変化させる撮像装置。
【請求項２】
前記複数の駆動部は、
ズームレンズの位置を変更するズーム駆動部と、
フォーカスレンズの位置を変更するフォーカス駆動部と、
絞りの径を変更する絞り駆動部と
を有し、
前記フィルタ制御部は、前記ズーム駆動部から受け取ったズーム駆動情報に基づいて、前記複数の周波数フィルタのうちの第１の周波数フィルタを制御し、前記フォーカス駆動部から受け取ったフォーカス駆動情報に基づいて、前記複数の周波数フィルタのうちの第２の周波数フィルタを制御し、前記絞り駆動部から受け取った絞り駆動情報に基づいて、前記複数の周波数フィルタのうちの第３の周波数フィルタを制御する請求項１に記載の撮像装置。
【発明の詳細な説明】
【０００１】
【発明の属する技術分野】
本発明は、録音装置に関する。特に本発明は、雑音を低減させする録音装置に関する。
【０００２】
【従来の技術】
特開平７−２４０８６４号は、駆動モータの駆動時にモータ駆動音とは位相が反転した位相反転音を発生させてモータ駆動音を消音する電子ビデオカメラを開示している。
【０００３】
【発明が解決しようとする課題】
しかしながら、特開平７−２４０８６４号が開示している方法では、モータ駆動音をピックアップするための集音手段が必要であった。すなわち、構造が複雑になっていた。
【０００４】
そこで本発明は、上記の課題を解決することのできる録音装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、音声を録音する録音装置であって、音声を取得し、取得した音声を音声信号に変換する集音部と、当該録音装置の少なくとも一部を駆動する駆動部と、音声信号に含まれ、駆動部が駆動することによって発生する雑音を低減させる周波数フィルタと、駆動部の駆動状態に基づいて、周波数フィルタを制御するフィルタ制御部と、周波数フィルタが雑音を低減させた音声信号を記録する記録部とを備える。
【０００６】
また、フィルタ制御部は、雑音を段階的に低減させるべく周波数フィルタのフィルタ関数を連続的に変化させてもよい。周波数フィルタは、複数であり、フィルタ制御部は、駆動部の駆動状態に基づいて、複数の周波数フィルタを切り換えてもよい。また、駆動部は、複数であり、周波数フィルタは、複数であり、複数の駆動部のそれぞれに対応づけられ、フィルタ制御部は、複数の駆動部の駆動状態に基づいて、駆動部のそれぞれに対応づけられた複数の周波数フィルタを制御してもよい。
【０００７】
本発明の第２の形態によると、音声を録音する録音装置であって、音声を取得し、取得した音声を音声信号に変換する集音部と、当該録音装置の少なくとも一部を駆動する駆動部と、音声信号に含まれ、駆動部が駆動することによって発生する雑音を低減させる位相フィルタと、駆動部の駆動状態に基づいて、位相フィルタを制御するフィルタ制御部と、位相フィルタが雑音を低減させた音声信号を記録する記録部とを備える。
【０００８】
また、フィルタ制御部は、雑音を段階的に低減させるべく位相フィルタのフィルタ関数を連続的に変化させてもよい。周波数フィルタは、複数であり、フィルタ制御部は、駆動部の駆動状態に基づいて、複数の周波数フィルタを切り換えてもよい。また、駆動部は、複数であり、位相フィルタは、複数あり、複数の駆動部のそれぞれに対応づけられ、フィルタ制御部は、複数の駆動部の駆動状態に基づいて、駆動部のそれぞれに対応づけられた複数の位相フィルタを制御してもよい。
【０００９】
本発明の第３の形態によると、音声を録音する録音装置を備えた撮像装置であって、音声を取得し、取得した音声を音声信号に変換する集音部と、当該録音装置の少なくとも一部を駆動する駆動部と、音声信号に含まれ、駆動部が駆動することによって発生する雑音を低減させる周波数フィルタと、駆動部の駆動状態に基づいて、周波数フィルタを制御するフィルタ制御部と、周波数フィルタが雑音を低減させた音声信号を記録する記録部とを備える。
【００１０】
また、フィルタ制御部は、雑音を段階的に低減させるべく周波数フィルタのフィルタ関数を連続的に変化させてもよい。周波数フィルタは、複数であり、フィルタ制御部は、駆動部の駆動状態に基づいて、複数の周波数フィルタを切り換えてもよい。また、駆動部は、複数であり、周波数フィルタは、複数あり、複数の駆動部のそれぞれに対応づけられ、フィルタ制御部は、複数の駆動部の駆動状態に基づいて、駆動部のそれぞれに対応づけられた複数の周波数フィルタを制御してもよい。
【００１１】
本発明の第４の形態によると、音声を録音する録音装置を備えた撮像装置であって、音声を取得し、取得した音声を音声信号に変換する集音部と、当該録音装置の少なくとも一部を駆動する駆動部と、音声信号に含まれ、駆動部が駆動することによって発生する雑音を低減させる位相フィルタと、駆動部の駆動状態に基づいて、位相フィルタを制御するフィルタ制御部と、位相フィルタが雑音を低減させた音声信号を記録する記録部とを備える。
【００１２】
また、フィルタ制御部は、雑音を段階的に低減させるべく位相フィルタのフィルタ関数を連続的に変化させてもよい。周波数フィルタは、複数であり、フィルタ制御部は、駆動部の駆動状態に基づいて、複数の周波数フィルタを切り換えてもよい。また、駆動部は、複数であり、位相フィルタは、複数あり、複数の駆動部のそれぞれに対応づけられ、フィルタ制御部は、複数の駆動部の駆動状態に基づいて、駆動部のそれぞれに対応づけられた複数の位相フィルタを制御してもよい。
【００１３】
なお上記の発明の概要は、本発明の必要な特徴の全てを列挙したものではなく、これらの特徴群のサブコンビネーションも又発明となりうる。
【００１４】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１５】
図１は、本実施の形態に係る録音装置１０に特徴的な機能構成の一例を示す。録音装置１０は、集音部１００と、駆動部１２０と、周波数フィルタ１１０と、フィルタ制御部１３０と、記録部１４０と、音声信号処理部１５０とを備える。集音部１００は、音声を取得する。集音部１００は、取得した音声をアナログの音声信号に変換する。集音部１００は、音声信号を周波数フィルタ１１０に送る。集音部１００は、例えばマイクロフォンである。
【００１６】
駆動部１２０は、録音装置の少なくとも一部を駆動する。駆動部１２０は、例えば記録部１４０を駆動するモータである。駆動部１２０は、駆動部１２０の駆動状態を示す駆動情報を、フィルタ制御部１３０に送る。フィルタ制御部１３０は、駆動部１２０から駆動情報を受け取る。フィルタ制御部１３０は、駆動情報に基づいて周波数フィルタ１１０を制御する。周波数フィルタ１１０は、集音部１００から受け取った音声信号から、駆動部１２０が発生する雑音の周波数領域をフィルタリングする。
【００１７】
また、フィルタ制御部１３０は、音声信号を段階的にフィルタリングさせるべく周波数フィルタ１１０のフィルタ関数を連続的に変化させてもよい。周波数フィルタ１１０は、例えば音声信号の周波数特性を変化させるイコライザ回路である。
【００１８】
音声信号処理部１５０は、周波数フィルタ１１０がフィルタリングしたアナログの音声信号を、デジタルの音声信号に変換する。音声信号処理部１５０は、変換したデジタルの音声信号を、記録部１４０に送る。また、音声信号処理部１５０は、デジタルの音声信号を、所定のフォーマットに変換してもよい。記録部１４０は、音声信号処理部１５０が変換したデジタルの音声信号を録音する。
【００１９】
このように録音装置１０は、駆動部１２０の駆動状態に基づいて、周波数フィルタ１１０を制御する。従って、集音部１００が取り込んだ音声信号から、駆動部１２０が発生する雑音を低減させることができる。駆動部１２０が発生する雑音は、例えば駆動部１２０が回転することによって発生する駆動音と、駆動部１２０が録音装置の駆動部１２０以外の部品を共振させる事によって発生する共鳴音と、駆動部１２０に電流が流れることによって発生する電気的ノイズ等である。
【００２０】
図２は、録音装置１０を備える撮像装置１２の機能構成の一例を示す。撮像装置１２は、画像及び音声を記録する。撮像装置１２は、集音部１００と、周波数フィルタ１１０と、フィルタ制御部１３０と、音声信号処理部１５０と、光学部２００と、絞り２１０と、絞り駆動部１６０と、ＣＣＤ２２０と、画像信号処理部２３０と、記録部１４０とを備える。
【００２１】
光学部２００は、被写体像を取り込む。光学部２００は、取り込んだ被写体像を、ＣＣＤ２２０の受光面上に結像する。絞り２１０は、光学部２００を通過した光を絞る。絞り駆動部１６０は、絞り２１０の径を変更する。絞り駆動部１６０は、絞り駆動部１６０の駆動状態を示す絞り駆動情報を、フィルタ制御部１３０に送る。図２に示した絞り駆動部１６０は、図１に示した駆動部１２０の一例である。
【００２２】
ＣＣＤ２２０は、光学部２００が取り込んだ被写体像を、アナログの画像信号に変換する。ＣＣＤ２２０は、変換したアナログの画像信号を、画像信号処理部２３０に送る。画像信号処理部２３０は、ＣＣＤ２２０が取得したアナログの画像信号を、デジタルの画像信号に変換する。また、画像信号処理部２３０は、デジタルの画像信号を、所定のフォーマットに変換してもよい。画像信号処理部２３０は、変換したデジタルの画像信号を、記録部１４０に送る。フィルタ制御部１３０は、絞り駆動情報に基づいて、周波数フィルタ１１０を制御する。
【００２３】
周波数フィルタ１１０は、集音部１００から受け取った音声信号をフィルタリングする。記録部１４０は、音声信号処理部１５０からデジタルの音声信号を受け取る。また、記録部１４０は、画像信号処理部２３０からデジタルの画像信号を受け取る。記録部１４０は、受け取ったデジタルの音声信号と、デジタルの画像信号とを記録する。これ以外の構造と動作は、本実施の形態に係る録音装置１０と同じであるため、説明を省略する。
【００２４】
周波数フィルタ１１０が、絞り駆動部１６０の駆動状態に対応して、集音部１００が取得した音声信号をフィルタリングすることによって、録音装置１０を備える撮像装置１２は、撮像装置１２が備える絞り駆動部１６０が発生する雑音を低減させた音声を記録することができる。
【００２５】
次に、本実施の形態に係る撮像装置１２の第１の変形例について説明する。本実施の形態に係る撮像装置１２は、駆動部１２０が駆動している時に、駆動部１２０が発生する雑音の周波数に対応した周波数フィルタ１１０を用いて、駆動部１２０が発生する雑音を低減させているが、これに代えて、第１の変形例では、駆動部１２０が駆動していない時に、他の周波数フィルタに切り換えて、駆動部１２０以外が発生する雑音を低減させてもよい。駆動部１２０以外が発生する雑音は、例えば集音部が集音する風雑音や、撮像装置１２の駆動部１２０以外が発生する雑音等である。
【００２６】
次に、本実施の形態に係る撮像装置１２の第２の変形例について説明する。本実施の形態に係る撮像装置１２は、１つの周波数フィルタ１１０及び１つの駆動部１２０を備えているが、これに代えて、第２の変形例に係る撮像装置１２は、複数の周波数フィルタ及び複数の駆動部を備える点で異なる。図３は、第２の変形例に係る撮像装置１２の機能構成を示す。また、光学部２００は、ズームレンズ２０２と、フォーカスレンズ２０４とを更に有する点で異なる。図３に示した周波数フィルタ１１２、周波数フィルタ１１４、及び周波数フィルタ１１６は、それぞれ図１に示した周波数フィルタ１１０の一例である。また、図３に示したフォーカス駆動部１７０と、ズーム駆動部１８０とは、図１に示した駆動部１２０の一例である。
【００２７】
ズームレンズ２０２は、移動することによって、光学部２００の焦点距離を変更する。ズーム駆動部１８０は、ズームレンズ２０２の位置を変更する。ズーム駆動部１８０は、ズーム駆動部１８０の駆動状態を示すズーム駆動情報を、フィルタ制御部１３０に送る。フォーカスレンズ２０４は、光学部２００の焦点を調整する。フォーカス駆動部１７０は、フォーカスレンズ２０４の位置を変更する。フォーカス駆動部１７０は、フォーカス駆動部１７０の駆動状態を示すフォーカス駆動情報を、フィルタ制御部１３０に送る。
【００２８】
フィルタ制御部１３０は、絞り駆動情報と、ズーム駆動情報と、フォーカス駆動情報とを受け取る。フィルタ制御部１３０は、受け取った絞り駆動情報と、ズーム駆動情報と、フォーカス駆動情報とに基づいて、周波数フィルタ１１２、周波数フィルタ１１４、及び周波数フィルタ１１６を制御する。周波数フィルタ１１２は、集音部１００から受け取った音声信号から、絞り駆動部１６０が発生する雑音の周波数領域をフィルタリングする。周波数フィルタ１１４は、集音部１００から受け取った音声信号から、フォーカス駆動部１７０が発生する雑音の周波数領域をフィルタリングする。周波数フィルタ１１６は、集音部１００から受け取った音声信号から、ズーム駆動部１８０が発生する雑音の周波数領域をフィルタリングする。
【００２９】
周波数フィルタ１１２、周波数フィルタ１１４、及び周波数フィルタ１１６が、絞り駆動部１６０、フォーカス駆動部１７０、及びズーム駆動部１８０の駆動状態に対応して、集音部１００が取得した音声信号をフィルタリングすることによって、録音装置を備える撮像装置１２は、絞り駆動部１６０と、フォーカス駆動部１７０と、ズーム駆動部１８０とが発生する雑音を低減させた音声を記録することができる。
【００３０】
次に、本実施の形態に係る撮像装置１２の第３の変形例について説明する。図４は、第３の変形例に係る撮像装置１２の機能構成を示す。図４に示す撮像装置１２は、図３に示す撮像装置１２と概略同じであるが、周波数フィルタ１１２、周波数フィルタ１１４、及び周波数フィルタ１１６は、図３と異なり直列に接続されている。周波数フィルタ１１２、周波数フィルタ１１４、及び周波数フィルタ１１６が直列に接続されることによって、撮像装置１２は、同時に複数の周波数フィルタを用いて音声信号をフィルタリングすることができる。これ以外の構造と動作は、本実施の形態に係る撮像装置１２と同じであるため、説明を省略する。
【００３１】
複数の周波数フィルタが直列に接続されることによって、撮像装置１２は、複数の駆動部が同時に駆動する場合に、集音部１００が取り込んだ音声信号から、複数の駆動部が発生する雑音を同時に低減させることができる。また、任意の雑音を複数選択して低減させることができる。
【００３２】
以上、本発明を実施の形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３３】
【発明の効果】
上記説明から明らかなように、本発明によれば、駆動部が発生する雑音を低減させた音声を記録する録音装置を提供することができる。
【図面の簡単な説明】
【図１】本実施の形態に係る録音装置１０に特徴的な機能構成の一例を示す図である。
【図２】録音装置１０を備える撮像装置１２の機能構成の一例を示す図である。
【図３】変形例に係る撮像装置１２の機能構成を示す図である。
【図４】変形例に係る撮像装置１２の機能構成を示す図である。
【符号の説明】
１０  録音装置
１００  集音部
１１０、１１２、１１４、１１６  周波数フィルタ
１２０  駆動部
１３０  フィルタ制御部
１４０  記録部
１５０  音声信号処理部
【図１】
0004327402.tif 000002
【図２】
0004327402.tif 000003
【図３】
0004327402.tif 000004
【図４】
0004327402.tif 000005